(57)【要約】  回転子は、各磁石（２）の２つの磁極を固定子（３）の方に向けることにより、螺旋形に磁界及び磁石（２）を定める材料のグループから形成されている。該グループの端部の磁極の一側部では、磁界を定める前記材料（４）は固定子（３）の方に突出している。その構成は固定子（３）に突出されている回転子の各磁極の磁界を変えるために使用され、磁石（２）のグループの一端部は固定子（３）と相互に作用するため最も近い磁極に集中し、反対の磁極が次第に離れ、固定子（３）との相互作用を減少させるようになっている。本発明は磁気モータに有用である。
2009524402.tif 000002
【特許請求の範囲】
【請求項１】
磁石（２）と磁界を定める材料（４）により形成され、両エレメントは、回転子（１）の本体の外周の半径内で一定の距離、離隔されてシャフト（５）の周りに配置されるグループを形成し、静止している固定子（３）は回転子（１）の本体の外周に近接し、固定子の軸は回転子の半径に直交すると共に回転子の回転面に平行であり、回転子の磁石（２）は最大表面領域を有する平坦面に１つだけの磁性を有し、回転子（１）の各グループが少なくとも１つの磁石（２）により形成されているため、固定子（３）に面する２つの磁極を有する１つの面を有し、幾つかの磁石（２）を有する回転子のグループは、円形、螺旋状、千鳥状又は斜めの線において、引き付ける最大表面領域を有する平坦面の磁極を有して逐次配置される磁石を有し、磁界を定める前記材料（４）は固定子（３）に最も近いグループの端部で磁石（２）の表面の側部に配置され、前記材料（４）は１つだけの磁極の側部に配置されていることを特徴とする磁気モータの回転子。
【請求項２】
磁界を定める前記材料（４）は高透磁率材料又は高導電率材料である請求項１に記載の磁気モータの回転子。
【発明の詳細な説明】
【技術分野】
【０００１】
本発明は、磁気モータの回転子の技術領域に関する。
【背景技術】
【０００２】
永久磁石と磁石の磁界を定める材料とから構成されている磁気モータの回転子がある。その回転子は２つの磁極を交替させ、固定子コイルと相互に作用する。例えば、ＪＰ２００３２７４５９０、ＪＰ１２２６４８及びＪＰ２００００６００３９は、外周の磁極のグループが固定子から同一距離の磁石のグループから構成され、磁界を定める材料は固定子の方に突出しない。
【発明の開示】
【発明が解決しようとする課題】
【０００３】
磁石の一端部では反発が起こり、他端部では引きつけられるため、磁石の回転子は永久磁石により形成される固定子と相互作用することは難しい。その問題は、回転子が磁極の引きつけから逃れることができないことであり、例えば、特許ＪＰ５６１１０４８３の図７は、回転子の磁極と固定子の磁極の間で引きつけられるため、回転子は固定子の磁力から逃れることができないことを示している。
【課題を解決するための手段】
【０００４】
上記した問題を解決するため、本発明の回転子は、永久磁石を有する固定子と相互に作用し、距離により、固定子に突出する回転子の各磁極の磁界を変えることができる。
【０００５】
回転子は放射状に間隔を空けられた複数のグループにより形成され、それらのグループは永久磁石と磁界を定める材料とにより形成されている。固定子は回転子の外周の近くに配置され、固定子の軸の位置は回転子の半径に直交し、回転子の回転面に平行している。
【０００６】
回転子の磁石は固定子に面する２つの磁極を有する面を有している。
【０００７】
グループが１つだけの磁石から構成されている時、磁石は固定子に最も近い磁気面を有し、その面は回転子の回転面に平行又は斜めの位置で、２つの磁極を示している。
【０００８】
グループが１つ以上の磁石から構成されている時、それらは逐次一列に配置され、引き付ける最大表面を有する平坦面の磁極を有し、その引き付けは１つだけの磁極を有する表面の回転子の半径に直交するグループの縦軸で起こる。各グループの端部の磁極は固定子から異なる距離に配置され、例えば、グループの縦軸は回転面に対して斜めになっている（図１）。磁石はまた、螺旋形の線（図２）、円形又は千鳥状に配置されていてもよい。
【０００９】
磁界を定める材料は、第１に回転時に固定子と相互に作用するグループの端部にある。磁界を定める材料は、高透磁率材料であってもよく、磁石の１つだけの磁極の側部で固定子に最も近い磁石のグループの端部に配置され、高透磁率材料は平坦で、磁石面の表面に対して固定子の方に突出し、回転子の磁極の磁束が高透磁率材料から突出する領域で固定子と相互に作用するようになっている。
【００１０】
従来の特許に対する利点は、高透磁率材料を有する回転子のグループの端部が固定子との相互作用のため磁極の磁束に集中し、各磁石では固定子に面する２つの磁極が離れるため、磁界が減少する。
【発明を実施するための最良の形態】
【００１１】
モータの回転子は磁石(２)と磁界を定める材料（４）とから構成されている。両エレメントは、回転子（１）の本体の外周の半径内で一定の距離、離隔されてシャフト（５）の周りに配置されるグループを形成している。磁石から構成される静止している固定子（３）は回転子（１）の本体の外周に近接して配置され、固定子の軸は回転子の半径に直交すると共に回転子（１）の回転面に平行となっている。
【００１２】
回転子（１）の各グループは、サイズが異なるが幅が同様の矩形の２極の磁石（２）から構成され、引き付ける最大表面領域を有する平坦面の磁極を有して螺旋状の線に逐次配置され、その引き付けは１つだけの磁極を有する面で行われ、この方法では、磁石（２）のグループは固定子（３）から異なる距離で２つの端部を有して作られている。磁石（２）は最大表面領域を有する面が次第に減少するように配置され、そのグループの最大表面領域に面する磁石は固定子に最も近いグループの端部に配置され、そのグループの端部のこの磁石（２）は回転子（１）の回転面に平行な固定子に最も近い２つの磁極との面を有している。
【００１３】
磁界を定める材料（４）は固定子（３）に最も近いグループの端部に配置され、１つだけの磁極を有する端部の最大表面領域との面に平行で、磁石（２）から一定距離離れている。磁界を定める材料（４）は平坦及び薄く、そのグループの端部で磁石のすべての面を覆う表面を有し、磁石の面に対して固定子の方に突出している。磁界を定める材料は高透磁率材料、例えば、磁界が通過する経路を与える純鉄であってもよい。磁界を定める材料は高導電率材料、例えば、磁石を有する固定子に対して回転子が回転する時、磁界の通過を遮る誘導電流を生成する銅であってもよい。高透磁率材料及び高導電率材料はよりよい方法で磁石のグループの端部で磁界を定めると共に磁界の通過を遮るために結合されてもよい。
【００１４】
１つだけの方向で起こる回転のため、固定子と相互作用する磁石のグループの第１領域は磁界を定める材料を有するグループの端部である。
【産業上の利用可能性】
【００１５】
本願発明は固定子が永久磁石により形成される磁気モータのために利用可能である。
【図面の簡単な説明】
【００１６】
【図１】一列の磁石のグループにより形成され、各グループの縦軸が斜めになっている回転子（１）を示す図である。
【図２】固定子（３）の方の距離が徐々に増加する螺旋状の配置の回転子（１）の磁石（２）を示す図であり、磁界を定める材料（４）は固定子（３）に最も近い端部に配置されている。
【図１】
2009524402.tif 000003
【図２】
2009524402.tif 000004
【国際調査報告】
2009524402.tif 000005
2009524402.tif 000006
2009524402.tif 000007
2009524402.tif 000008